(57)【特許請求の範囲】
【請求項１】
支持フィルムと、
該支持フィルムの一方の面の少なくとも一部に位置する被覆層と、
外部からの入射光から特定の波長域の光を前記支持フィルム内に入射させる入射部と、
前記入射部から入射され、前記支持フィルム内で導光された前記特定の波長域の光を外部に出射させる出射部と、
前記被覆層の屈折率よりも大きい屈折率を具備する高屈折率層と
を有し、
前記入射部は、前記被覆層の所望部位において前記支持フィルムの厚み方向に凹凸を有する回折構造からなり、
前記高屈折率層は、前記被覆層上に設けられていることを特徴とする導光フィルム。
【請求項２】
前記出射部は、前記被覆層の所望部位において前記支持フィルムの厚み方向に凹凸を有する回折構造からなることを特徴とする請求項１に記載の導光フィルム。
【請求項３】
支持フィルムと、
該支持フィルムの一方の面の少なくとも一部に位置する被覆層と、
外部からの入射光を前記支持フィルム内に入射させる入射部と、
前記入射部から入射され、前記支持フィルム内で導光された光から特定の波長域の光を外部に出射させる出射部と、
前記被覆層の屈折率よりも大きい屈折率を具備する高屈折率層と
を有し、
前記出射部は、前記被覆層の所望部位において前記支持フィルムの厚み方向に凹凸を有する回折構造からなり、
前記高屈折率層は、前記被覆層上に設けられていることを特徴とする導光フィルム。
【請求項４】
前記入射部は、前記被覆層の所望部位において前記支持フィルムの厚み方向に凹凸を有する回折構造からなるもの、前記被覆層の所望部位、前記被覆層と前記支持フィルムとの層間の所望部位及び前記支持フィルムの前記一方の面とは反対側の面の所望部位のうちの何れかに位置する反射層からなるもの、前記被覆層の所望部位に位置する凹凸構造からなるもの、前記被覆層の所望部位であるもの並びに前記支持フィルムの所望部位であるもののうちの少なくとも１種であることを特徴とする請求項３に記載の導光フィルム。
【請求項５】
前記被覆層は、複数の前記出射部を有し、
複数の前記出射部の少なくとも一部は、出射される光の波長域が、出射部間で相互に異なることを特徴とする請求項２乃至請求項４のいずれかに記載の導光フィルム。
【請求項６】
前記被覆層は、複数の前記入射部を有し、
複数の前記入射部の少なくとも一部は、前記支持フィルム内に入射させる光の波長域が、入射部間で相互に異なることを特徴とする請求項１乃至請求項５のいずれかに記載の導光フィルム。
【請求項７】
複数の前記入射部は隣接していることを特徴とする請求項６に記載の導光フィルム。
【請求項８】
複数の前記出射部は隣接していることを特徴とする請求項５乃至請求項７のいずれかに記載の導光フィルム。
【請求項９】
請求項１乃至請求項８のいずれかに記載の導光フィルムと、前記導光フィルムの前記被覆層側の最表面に位置する接着層と、を備えることを特徴とする偽造防止用構造体。
【請求項１０】
前記導光フィルムの前記支持フィルム側に接着層を備えることを特徴とする請求項９に記載の偽造防止用構造体。
【請求項１１】
前記導光フィルムの前記支持フィルムと前記被覆層との間に剥離層が介在していることを特徴とする請求項９に記載の偽造防止用構造体。
【請求項１２】
請求項１乃至請求項８のいずれかに記載の導光フィルムを備えることを特徴とする偽造防止物品。
【請求項１３】
所望の部位に、請求項９または請求項１０に記載の偽造防止用構造体を備えることを特徴とする偽造防止物品。
【請求項１４】
基材と、
前記基材の一方の面に、接着層を介して設けられた導光フィルムと
を備え、
前記導光フィルムは、被覆層と、外部からの入射光から特定の波長域の光を前記被覆層に入射させる入射部と、前記入射部から入射され、前記被覆層内で導光された前記特定の波長域の光を外部に出射させる出射部と、前記被覆層の屈折率よりも大きい屈折率を具備する高屈折率層とを有し、
前記入射部及び／又は前記出射部は、前記被覆層の所望部位において前記被覆層の厚み方向に凹凸を有する回折構造からなり、
前記高屈折率層は、前記被覆層上に設けられており、前記接着層に接していることを特徴とする偽造防止物品。
【請求項１５】
基材と、
前記基材の一方の面に、接着層を介して設けられた導光フィルムと、
前記導光フィルムの前記接着層と反対側に設けられた剥離層と
を備え、
前記導光フィルムは、被覆層と、外部からの入射光から特定の波長域の光を前記被覆層に入射させる入射部と、前記入射部から入射され、前記被覆層内で導光された前記特定の波長域の光を外部に出射させる出射部と、前記被覆層の屈折率よりも大きい屈折率を具備する高屈折率層とを有し、
前記入射部及び／又は前記出射部は、前記被覆層の所望部位において前記被覆層の厚み方向に凹凸を有する回折構造からなり、
前記高屈折率層は、前記被覆層上に設けられており、前記接着層に接しており、
前記剥離層は、前記被覆層の前記高屈折率層と反対側に設けられていることを特徴とする偽造防止物品。
【発明の詳細な説明】
【技術分野】
【０００１】
本発明は、偽造防止、真贋判定を目的とする導光フィルムと、所望の物品に偽造防止機能を付与するための偽造防止用構造体及び偽造防止機能が付与された偽造防止物品とに関する。
【背景技術】
【０００２】
近年、紙幣、パスポート、身分証明カード、商品券やクレジットカード等の有価証券類、所謂ブランド品に付されるタグ、梱包シール等の偽造防止機能が必要とされる物品において、偽造防止、真贋判定の手段として、導光フィルムが使用されている。従来の導光フィルムは、例えば、導波路と、導波路に設けられた入射部及び出射部とを備え、入射部に光を入射させると、出射部から所望の絵柄で光が出射されるものである。この出射部から出射される光を目視にて又は検証機器を用いて確認することにより、導光フィルムが設けられた偽造防止物品の真贋判定が可能となる。このような導光フィルムは、例えば、入射部と出射部とを露出させるように偽造防止物品に埋め込まれて使用されたり、入射部と出射部とを露出させるように印刷等の加工が施されて使用されたりしている。【０００３】
また、偽造防止物品の表面から視認される印刷絵柄の配色や、偽造防止物品にともに設けられるホログラム等の他の偽造防止手段との関係で、導光フィルムの出射部から出射される光の絵柄を所望の色で表示することが要望される場合がある。このような要望に対して、導光フィルムの導波路内や、入射部又は出射部に発光色素を配置し、出射部から出射される光の絵柄が所望の色で表示されたり、多色画像として表示されたりすることにより、偽造防止効果を高めた導光フィルムが開発されている（特許文献１）。
【先行技術文献】
【特許文献】
【０００４】
【特許文献１】特表２０１３−５１４２００号公報
【発明の概要】
【発明が解決しようとする課題】
【０００５】
しかしながら、発光色素を配置した従来の導光フィルムは、発光色素の経時劣化により、偽造防止機能を付与する対象となる物品に設定される使用期間において偽造防止機能が安定して発現されないという問題がある。また、経時劣化を生じないような発光色素であっても、その発光色素が着色を有するものである場合、入射部に光を入射しなくても、導光フィルムを配設した箇所や、表示される絵柄の把握が容易となり、偽造防止上好ましくない。このため、無色又は無色に近い発光色素の使用が要求され、色素選択の幅が極めて狭いものとなり、材料コストの増大を来すという問題がある。さらに、入射部に入射させる光の光量は、発光色素を発光させる光量以上である必要がある。光源としてレーザを使用する場合には、このような光量を得ることが容易であるが、例えば、比較的光量の低いＬＥＤ光源からの白色光で発光色素を発光させることは難しい。したがって、従来の導光フィルムによる真贋判定にはレーザ光源のような検証機器を用いる必要があり、偽造防止物品の真贋を簡易に判定する上で支障となっている。また、導光フィルムの製造において、発光色素を配置する工程が加わることになり、製造コストの増大を来すという問題がある。【０００６】
本発明は、上記のような実状に鑑みてなされたものであり、出射部から出射される光の絵柄を所望の色で表示したり、多色画像として表示したりすることが可能であり、かつ、偽造防止機能を安定して発現できる導光フィルムと、これを用いた偽造防止用構造体及び偽造防止物品とを提供することを目的とする。
【課題を解決するための手段】
【０００７】
このような目的を達成するために、本発明は、支持フィルムと、該支持フィルムの一方の面の少なくとも一部に位置する被覆層と、外部からの入射光から特定の波長域の光を前記支持フィルム内に入射させる入射部と、前記入射部から入射され、前記支持フィルム内で導光された前記特定の波長域の光を外部に出射させる出射部と、前記被覆層の屈折率よりも大きい屈折率を具備する高屈折率層とを有し、前記入射部は、前記被覆層の所望部位において前記支持フィルムの厚み方向に凹凸を有する回折構造からなり、前記高屈折率層は、前記被覆層上に設けられていることを特徴とする導光フィルムを提供する。
【０００８】
前記出射部は、前記被覆層の所望部位において前記支持フィルムの厚み方向に凹凸を有する回折構造からなっていればよい。【０００９】
また、本発明は、支持フィルムと、該支持フィルムの一方の面の少なくとも一部に位置する被覆層と、外部からの入射光を前記支持フィルム内に入射させる入射部と、前記入射部から入射され、前記支持フィルム内で導光された光から特定の波長域の光を外部に出射させる出射部と、前記被覆層の屈折率よりも大きい屈折率を具備する高屈折率層とを有し、前記出射部は、前記被覆層の所望部位において前記支持フィルムの厚み方向に凹凸を有する回折構造からなり、前記高屈折率層は、前記被覆層上に設けられていることを特徴とする導光フィルムを提供する。
【００１０】
前記入射部は、前記被覆層の所望部位において前記支持フィルムの厚み方向に凹凸を有する回折構造からなるもの、前記被覆層の所望部位、前記被覆層と前記支持フィルムとの層間の所望部位及び前記支持フィルムの前記一方の面とは反対側の面の所望部位のうちの何れかに位置する反射層からなるもの、前記被覆層の所望部位に位置する凹凸構造からなるもの、前記被覆層の所望部位であるもの並びに前記支持フィルムの所望部位であるもののうちの少なくとも１種であればよい。【００１１】
前記被覆層は、複数の前記出射部を有し、複数の前記出射部の少なくとも一部は、出射される光の波長域が、出射部間で相互に異なっていてもよく、前記被覆層は、複数の前記入射部を有し、複数の前記入射部の少なくとも一部は、前記支持フィルム内に入射させる光の波長域が、入射部間で相互に異なっていてもよい。複数の前記入射部は隣接していてもよく、複数の前記出射部は隣接していてもよい。【００１３】
本発明は、一方の面及び当該一方の面とは反対側の面を含む支持フィルムと、特定の波長域の光を前記支持フィルム内に入射させる入射部と、前記入射部から入射され、前記支持フィルム内を導光する前記特定の波長域の光を外部に出射させる出射部とを有し、前記入射部は、前記支持フィルムの所望の部位に設けられ、前記支持フィルムの厚み方向に凹凸を有する回折構造により構成されることを特徴とする導光フィルムを提供する。【００１４】
前記出射部は、前記支持フィルムの所望の部位に設けられ、前記支持フィルムの厚み方向に凹凸を有する回折構造により構成されることができる。【００１５】
本発明は、一方の面及び当該一方の面とは反対側の面を含む支持フィルムと、外部からの入射光を前記支持フィルム内に入射させる入射部と、前記入射部から入射され、前記支持フィルム内を導光する光から特定の波長域の光を外部に出射させる出射部とを有し、前記出射部は、前記支持フィルムの所望の部位に設けられ、前記支持フィルムの厚み方向に凹凸を有する回折構造により構成されることを特徴とする導光フィルムを提供する。【００１６】
前記入射部は、前記支持フィルムの所望の部位に設けられ、前記支持フィルムの厚み方向に凹凸を有する回折構造、前記支持フィルムの一方の面の所望の部位又は当該一方の面とは反対側の面の所望の部位に位置する反射層、前記支持フィルムの所望の部位に位置する凹凸構造、並びに前記支持フィルムの所望部位のうちの少なくとも１種により構成されることができる。【００１７】
前記支持フィルムには、複数の前記出射部が設けられ、前記複数の出射部のうちの少なくとも一部は、相互に異なる波長域の光を出射することができ、前記複数の出射部は、互いに隣接していればよい。【００１８】
前記支持フィルムには、複数の前記入射部が設けられ、前記複数の入射部のうちの少なくとも一部は、相互に異なる波長域の光を入射させることができ、前記複数の入射部は、互いに隣接していればよい。【００１９】
前記支持フィルムの一方の面又は当該一方の面とは反対側の面に前記支持フィルムの屈折率よりも大きい屈折率を具備する高屈折率層を備えることができ、前記支持フィルムの一方の面に前記入射部及び前記出射部が設けられていればよい。【００２０】
本発明は、上記導光フィルムと、前記導光フィルムの前記被覆層側の最表面に位置する接着層と、を備えることを特徴とする偽造防止用構造体を提供する。
前記導光フィルムの前記支持フィルム側に接着層を備えることができ、前記導光フィルムの前記支持フィルムと前記被覆層との間に剥離層が介在していてもよい。【００２１】
本発明は、上記導光フィルムと、前記支持フィルムの一方の面に位置する接着層と、を備えることを特徴とする偽造防止用構造体を提供する。
前記支持フィルムの一方の面とは反対側の面に位置する接着層をさらに備えることができる。【００２２】
本発明は、上記導光フィルムを備えることを特徴とする偽造防止物品、所望の部位に上記偽造防止用構造体を備えることを特徴とする偽造防止物品、上記導光フィルムを前記支持フィルムが存在しない状態で備えることを特徴とする偽造防止物品、及び所望の部位に上記偽造防止用構造体を、該偽造防止用構造体を構成する前記支持フィルムが存在しない状態で備えることを特徴とする偽造防止物品を提供する。【００２３】
本発明は、少なくとも透明基材と、導光フィルムとが積層されてなる積層体を備える偽造防止物品であって、前記導光フィルムは、透明な支持フィルムと、特定の波長域の光を前記支持フィルム内に入射させる入射部と、前記入射部から入射され、前記支持フィルム内を導光する前記特定の波長域の光を外部に出射させる出射部とを有し、前記入射部は、前記支持フィルムの所望の部位に設けられ、前記支持フィルムの厚み方向に凹凸を有する回折構造により構成されることを特徴とする偽造防止物品を提供する。
【発明の効果】
【００２４】
本発明によれば、出射部から出射される光の絵柄を所望の色で表示したり、多色画像として表示したりすることが可能であり、かつ、偽造防止機能を安定して発現できる導光フィルムと、これを用いた偽造防止用構造体及び偽造防止物品とを提供することができる。
【図面の簡単な説明】
【００２５】
【図１】図１は、本発明の導光フィルムの一実施形態を示す平面図である。
【図２Ａ】図２Ａは、図１に示される導光フィルムのＩ−Ｉ線における概略断面図である。
【図２Ｂ】図２Ｂは、本発明の導光フィルムの他の実施形態を示す図２Ａ相当の概略断面図である。
【図３】図３は、図１に示される導光フィルムの部分拡大断面図である。
【図４】図４は、本発明の導光フィルムの他の実施形態を示す図２Ａ相当の概略断面図である。
【図５Ａ】図５Ａは、本発明の導光フィルムの他の実施形態を示す平面図である。
【図５Ｂ】図５Ｂは、本発明の導光フィルムの他の実施形態を示す平面図である。
【図６】図６は、本発明の導光フィルムの他の実施形態を示す平面図である。
【図７】図７は、本発明の導光フィルムの他の実施形態を示す平面図である。
【図８】図８は、図７に示される導光フィルムのII−II線における概略断面図である。
【図９】図９は、本発明の導光フィルムの他の実施形態を示す平面図である。
【図１０】図１０は、図９に示される導光フィルムのIII−III線における概略断面図である。
【図１１】図１１は、本発明の導光フィルムの他の実施形態を示す平面図である。
【図１２】図１２は、図１１に示される導光フィルムのIV−IV線における概略断面図である。
【図１３】図１３は、本発明の導光フィルムの他の実施形態を示す平面図である。
【図１４】図１４は、本発明の偽造防止用構造体の一実施形態を示す概略断面図である。
【図１５】図１５は、本発明の偽造防止用構造体の他の実施形態を示す概略断面図である。
【図１６】図１６は、本発明の偽造防止用構造体の他の実施形態を示す概略断面図である。
【図１７】図１７は、本発明の偽造防止物品の一実施形態を示す平面図である。
【図１８】図１８は図１７に示される偽造防止物品のＶ−Ｖ線における概略断面図であって、構成層の一部を離間させたものである。
【図１９】図１９は図１７に示される偽造防止物品のVI−VI線における部分拡大断面図である。
【図２０】図２０は、本発明の偽造防止物品の他の実施形態を示す平面図である。
【図２１】図２１は、図２０に示される偽造防止物品のVII−VII線における部分拡大断面図である。
【図２２】図２２は、本発明の偽造防止物品の他の実施形態の一具体例である紙幣を示す平面図である。
【図２３】図２３は、図２２に示される偽造防止物品のVIII−VIII線における部分拡大断面図である。
【図２４】図２４は、本発明の偽造防止物品の他の実施形態の一具体例であるＩＤカードを示す平面図である。
【図２５】図２５は、図２４に示される偽造防止物品のIX−IX線における断面図である。
【図２６】図２６は、図２４に示される偽造防止物品の他の態様を示す、図２４におけるIX−IX線に相当する線における断面図である。
【図２７】図２７は、図２４に示される偽造防止物品の他の態様を示す、図２４におけるIX−IX線に相当する線における断面図である。
【発明を実施するための形態】
【００２６】
以下、本発明の実施の形態について図面を参照して説明する。
なお、図面は模式的または概念的なものであり、各部材の寸法、部材間の大きさの比等は、必ずしも現実のものと同一とは限らず、また、同じ部材等を表す場合であっても、図面により互いの寸法や比が異なって表される場合もある。
【００２７】
［導光フィルム］
図１は、本発明の導光フィルムの一実施形態を示す平面図であり、図２Ａは図１に示される導光フィルムのＩ−Ｉ線における概略断面図であり、図３は、導光フィルムの入射部の部分拡大断面図である。
【００２８】
図１〜図３において、導光フィルム１１は、支持フィルム１２、この支持フィルム１２の一方の面１２ａに位置する被覆層１４、及びこの被覆層１４上に位置する高屈折率層１８を備えている。なお、図２Ａでは、図面が煩雑となることを避けるために、断面を示す斜線が省略され、また、高屈折率層１８は太線で示されている。
【００２９】
支持フィルム１２は、外部よりも屈折率の高い材料であり、例えば、ポリカーボネート、ポリエチレンテレフタレート、ポリ塩化ビニル、ポリプロピレン、アクリル、シクロオレフィン、ポリエステル、ポリスチレン、アクリルスチレン等の樹脂製フィルムを挙げることができる。ここで、外部とは、導光フィルム１１が使用される状態で支持フィルム１２の他方の面１２ｂが接する雰囲気、材質を意味する。以下においても同様である。
【００３０】
このような支持フィルム１２は、支持フィルム１２を残存させた状態で導光フィルム１１が使用される場合、後述する入射部１５から入射される光を導光する機能を発現する必要がある。この場合、支持フィルム１２の厚みは、支持フィルム１２の屈折率、入射部１５から入射される光の波長等を考慮して設定されることができ、例えば、５〜４００μｍの範囲で適宜設定されることができる。
【００３１】
導光フィルム１１を構成する被覆層１４は、入射部１５と出射部１６とを有している。入射部１５は、支持フィルム１２の厚み方向に凹凸を有する回折構造１７ａを有しており、また、出射部１６は、支持フィルム１２の厚み方向に凹凸を有する回折構造１７ｂを有している。入射部１５は、外部からの入射光Ｌから特定の波長域の光Ｌλを支持フィルム１２内に入射させる機能を発現する。例えば、白色光を入射部１５に入射させた場合、入射部１５は、特定の波長域の光Ｌλを支持フィルム１２内に入射させる機能を発現する。勿論、この入射部１５が支持フィルム１２内に入射させ得る特定の波長域の入射光Ｌλを、外部から入射部１５に入射させた場合、この特定の波長域の光Ｌλは支持フィルム１２内に入射される。さらに、入射部１５となる１箇所の回折構造１７ａに、凹凸の周期が異なる複数種の周期構造が存在し、入射部１５に入射した白色光をそのまま支持フィルム１２内に入射させるものであってもよい。
【００３２】
また、出射部１６は、支持フィルム１２内を導光された光Ｌλを外部に出射する機能を発現する。さらに、出射部１６となる１箇所の回折構造１７ｂに、凹凸の周期が異なる複数種の周期構造が存在し、出射部１６から出射される光が、異なる波長域の光の混色であってもよい。
【００３３】
このような被覆層１４上には、図３に示されるように、この被覆層１４よりも屈折率の大きい高屈折率層１８を備えている。
【００３４】
被覆層１４は、例えば、フォトリソグラフィ法、電子線リソグラフィ法、インプリントリソグラフィ法等により、ライン状パターンの周期構造である回折格子（回折構造）の原版を作製し、この原版を使用して樹脂状の版を作製し、支持フィルム１２上に形成した透明材料に回折構造を賦形することにより形成することができる。被覆層１４を形成するための透明材料としては、従来からレリーフ型ホログラム等の形成に使用されている樹脂材料、例えば、熱硬化性樹脂、紫外線硬化性樹脂、電離放射線硬化性樹脂等の硬化性樹脂の硬化物、熱可塑性樹脂等を用いることができる。
【００３５】
上記の熱硬化性樹脂としては、例えば、不飽和ポリエステル樹脂、アクリル変性ウレタン樹脂、エポキシ変性アクリル樹脂、エポキシ変性不飽和ポリエステル樹脂、アルキッド樹脂、フェノール樹脂等が挙げられる。また、上記の熱可塑性樹脂としては、例えば、アクリル酸エステル樹脂、アクリルアミド樹脂、ニトロセルロース樹脂、ポリスチレン樹脂等が挙げられる。これらの樹脂は単独重合体であっても、２種以上の構成成分からなる共重合体であってもよい。また、これらの樹脂は単独で用いてもよく、２種以上を併用してもよい。
【００３６】
このような熱硬化性樹脂、熱可塑性樹脂は、各種イソシアネート化合物、ナフテン酸コバルト、ナフテン酸亜鉛等の金属石鹸、ベンゾイルパーオキサイド、メチルエチルケトンパーオキサイド等の有機過酸化物、ベンゾフェノン、アセトフェノン、アントラキノン、ナフトキノン、アゾビスイソブチロニトリル、ジフェニルスルフィド等の熱あるいは紫外線硬化剤を含んでいてもよい。
【００３７】
また、上記の電離放射線硬化性樹脂としては、例えば、エポキシ変性アクリレート樹脂、ウレタン変性アクリレート樹脂、アクリル変性ポリエステル樹脂等が挙げられ、中でもウレタン変性アクリレート樹脂が好ましく、特に特開２００７−０１７６４３号公報で示される化学式で表されるウレタン変性アクリル系樹脂が好ましい。
【００３８】
このような電離放射線硬化性樹脂を硬化させる際には、架橋構造、粘度の調整等を目的として、単官能または多官能のモノマー、オリゴマー等を併用することができる。単官能モノマーとしては、例えば、テトラヒドロフルフリル（メタ）アクリレート、ヒドロキシエチル（メタ）アクリレート、ビニルピロリドン、（メタ）アクリロイルオキシエチルサクシネート、（メタ）アクリロイルオキシエチルフタレート等のモノ（メタ）アクリレート等が挙げられる。また、２官能以上のモノマーとしては、骨格構造で分類すると、ポリオール（メタ）アクリレート（例えば、エポキシ変性ポリオール（メタ）アクリレート、ラクトン変性ポリオール（メタ）アクリレート等）、ポリエステル（メタ）アクリレート、エポキシ（メタ）アクリレート、ウレタン（メタ）アクリレート、その他ポリブタジエン系、イソシアヌール酸系、ヒダントイン系、メラミン系、リン酸系、イミド系、ホスファゼン系等の骨格を有するポリ（メタ）アクリレート等が挙げられる。さらに、紫外線、電子線硬化性である種々のモノマー、オリゴマー、ポリマーが利用できる。
【００３９】
さらに詳しくは、２官能のモノマー、オリゴマーとしては、例えば、ポリエチレングリコールジ（メタ）アクリレート、ポリプロピレングリコールジ（メタ）アクリレート、ネオペンチルグリコールジ（メタ）アクリレート、１，６−ヘキサンジオールジ（メタ）アクリレート等が挙げられる。３官能のモノマー、オリゴマーとしては、例えば、トリメチロールプロパン（メタ）アクリレート、ペンタエリスリトールトリ（メタ）アクリレート、脂肪族トリ（メタ）アクリレート等が挙げられる。４官能のモノマー、オリゴマーとしては、例えば、ペンタエリスリトールテトラ（メタ）アクリレート、ジトリメチロールプロパンテトラ（メタ）アクリレート、脂肪族テトラ（メタ）アクリレート等が挙げられる。また、５官能以上のモノマー、オリゴマーとしては、例えば、ジペンタエリスリトールペンタ（メタ）アクリレート、ジペンタエリスリトールヘキサ（メタ）アクリレート等が挙げられる。また、ポリエステル骨格、ウレタン骨格、ホスファゼン骨格を有する（メタ）アクリレート等が挙げられる。官能基数は特に限定されるものはないが、官能基数が３より小さいと耐熱性が低下する傾向があり、また、２０を超える場合には柔軟性が低下する傾向にあるため、特に官能基数が３〜２０の範囲内のものが好ましい。
【００４０】
上記のような単官能または多官能のモノマー、オリゴマーの含有量としては適宜調整することができるが、通常、電離放射線硬化性樹脂１００重量部に対して５０重量部以下とすることが好ましく、中でも０．５〜２０重量部の範囲内が好ましい。
【００４１】
また、被覆層１４を形成するための透明材料には、必要に応じて、光重合開始剤、重合禁止剤、劣化防止剤、可塑剤、滑剤、染料や顔料などの着色剤、界面活性剤、消泡剤、レベリング剤、チクソトロピー性付与剤等の添加剤が適宜加えられていてもよい。
【００４２】
被覆層１４の入射部１５における回折構造１７ａは、外部からの入射光Ｌ（例えば、白色光）から特定の波長域の光Ｌλを支持フィルム１２内に入射させる機能、あるいは、外部から入射した特定の波長域の入射光Ｌλを支持フィルム１２内に入射させる機能を発現するものである。被覆層１４の屈折率をｎ、支持フィルム１２内に入射させる光Ｌλの波長をλとした場合、入射部１５における回折構造１７ａの周期Ｐは、λ／ｎとすることができる。この周期Ｐの回折構造１７ａと、外部からの入射光Ｌ中の波長λの光との相互作用により、ほぼ回折格子ベクトルの方向に進行する光Ｌλが発生する。例えば、回折構造１７ａが、同心円形状に周期的に凹凸が形成された回折格子である場合、回折格子ベクトルは同心円の中心から外側に向かう方向となり、回折構造１７ａが、平行線形状に周期的に凹凸が形成された回折格子である場合、回折格子ベクトルは平行線に直交する方向となる。したがって、回折構造１７ｂは、入射部１５における回折構造１７ａの回折格子ベクトルの方向に位置するように配置される。一方、出射部１６における回折構造１７ｂは、支持フィルム１２内を導光される光Ｌλを外部に出射させるものであり、その周期Ｐは、λ／ｎとすることができる。また、被覆層１４の回折構造１７ａ，１７ｂの凸部の高さＨは、例えば、１〜１０００ｎｍの範囲、回折構造１７ａ，１７ｂが位置しない領域の被覆層１４の厚さＴは、例えば、５００〜１００００ｎｍの範囲とすることができる。
【００４３】
なお、図示例では、入射部１５の平面視形状が矩形であり、この入射部１５における回折構造１７ａは、所定の周期Ｐで同心円形状に凹凸が形成された回折格子となっている。したがって、回折格子ベクトルは所定角度内で放射状に広がるものとなっている。また、出射部１６は、入射部１５における回折格子ベクトルの放射状の広がりの範囲内に位置する。この出射部１６の平面視形状は正六角形状であり、出射部１６における回折構造１７ｂは、所定の周期Ｐで平行線形状凹凸が形成された回折格子となっており、回折格子ベクトルの方向は、入射部１５が位置する部位を向いている。なお、入射部１５、出射部１６の平面視形状、回折構造１７ａ，１７ｂの形状は、図示例に限定されるものではない。
【００４４】
ここで、上記導光フィルム１１において、出射部１６は回折構造１７ｂを有しておらず、波長選択性を具備しないものであってもよい。この場合、出射部１６は、被覆層１４の所望部位に位置する凹凸構造からなるものであってもよく、また、被覆層１４の所望部位（平面形状）をそのまま出射部１６としてもよく、いずれの場合も、入射部１５から入射され、支持フィルム１２内を導光した光を当該出射部１６から出射することができる。
【００４５】
また、出射部１６が波長選択性を具備していれば、入射部１５は回折構造１７ａを有しておらず、波長選択性を具備しないものであってもよい。この場合、入射部１５を、被覆層１４の所望部位、被覆層１４と支持フィルム１２との層間の所望部位、及び支持フィルム１２の他方の面１２ｂの所望部位のうちの何れかに位置する反射層からなるものとしてもよい。図４は、このような反射層を備える導光フィルム１１の例を示す図２Ａ相当の概略断面図である。図４に示す例では、被覆層１４上に位置する反射層２０が入射部１５であり、支持フィルム１２側から導光フィルム１１に入射した入射光Ｌ（例えば、白色光）は、反射層２０で反射されて支持フィルム１２内に入射される。そして、支持フィルム１２内を導光した光から、出射部１６で波長選択された光Ｌλが出射される。また、反射層２０が、上記のように、被覆層１４と支持フィルム１２との層間の所望部位に位置する場合も、支持フィルム１２側から導光フィルム１１に入射した入射光Ｌは、反射層２０で反射されて支持フィルム１２内に入射される。一方、反射層２０が、上記のように、支持フィルム１２の他方の面１２ｂの所望部位に位置する場合は、被覆層１４側から導光フィルム１１に入射した入射光Ｌが、反射層２０で反射されて支持フィルム１２内に入射される。このような反射層２０は、例えば、Ａｌ等の薄膜とすることができる。なお、反射層２０は、入射部１５以外にも設けてよい。例えば、他の偽造防止手段であるホログラムを導光フィルム１１の一部に形成し、平面視において、ホログラムが形成された箇所と重複する箇所に反射層２０を設けることができ、この場合、入射光をホログラムに適切に導光することができる。
【００４６】
また、出射部１６が波長選択性を具備しており、入射部１５は回折構造１７ａを有しておらず、波長選択性を具備しない場合の入射部１５の他の例として、被覆層１４の所望部位に位置する凹凸構造からなるものであってもよく、また、被覆層１４の所望部位（平面形状）をそのまま入射部１５としてもよい。被覆層１４に、凹部、凸部等により厚みが変化している凹凸構造が存在すれば、この部分が入射部１５となり、外部からの入射光Ｌ（例えば、白色光）を支持フィルム１２内に入射させる機能を発現することができる。また、被覆層１４に設定した入射部１５（平面形状）に高光量で入射光Ｌ（例えば、白色光）を入射させることにより、支持フィルム１２内に入射させることができる。
【００４７】
さらに、出射部１６が波長選択性を具備しており、入射部１５は回折構造１７ａを有しておらず、波長選択性を具備しない場合、入射部１５には被覆層１４が存在しなくてもよい。このため、支持フィルム１２の所望部位を入射部１５としてもよい。
【００４８】
被覆層１４上に位置する高屈折率層１８は、被覆層１４の屈折率よりも大きい屈折率を有する薄膜であり、支持フィルム１２内における導光をより容易なものとすることを目的として設けられている。このような高屈折率層１８は、被覆層１４よりも大きい屈折率を具備する透明材料からなるものであってよく、例えば、Ｍｇ、Ｔｉ、Ｃｒ、Ｆｅ、Ｃｏ、Ｎｉ、Ｃｕ、Ｚｎ、Ｇａ、Ｇｅ、Ｓｅ、Ｒｂ、Ｐｄ、Ａｇ、Ｃｄ、Ｉｎ、Ｓｎ、Ｓｂ、Ｔｅ、Ａｕ、Ｐｂ、Ｂｉ等の金属、上記金属の酸化物、ＺｎＳ等の上記金属の硫化物等の材料を用いて、真空成膜法で形成することができる。また、高屈折率層１８は、上記材料から２以上の材料を用いて形成した複数層からなる積層構造であってもよい。さらに、入射部１５に位置する高屈折率層１８と、出射部１６に位置する高屈折率層１８とが、互いに異なる材料からなるものであってもよい。
【００４９】
このような高屈折率層１８の厚みは、例えば、１〜３００ｎｍの範囲で設定することができる。図示例では、被覆層１４の全域を被覆するように高屈折率層１８が位置しているが、被覆層１４の一部を被覆するように高屈折率層１８が位置していてもよい。例えば、入射部１５及び出射部１６を被覆するとともに、入射部１５から出射部１６へ支持フィルム１２内を光が導光される導光路に相当する部位を被覆するように高屈折率層１８が位置していてもよい。また、高屈折率層１８は、回折構造１７ａ，１７ｂの凹凸の凸部の表面、凸部間に位置する凹部面に位置し、凸部の側壁面には位置しないものでもよい。さらに、本発明の導光フィルム１１は、高屈折率層１８を備えていないものであってもよい。
【００５０】
なお、高屈折率層１８は、被覆層１４上に位置していなくてもよい。高屈折率層１８は、例えば、被覆層１４上、被覆層１４と支持フィルム１２の一方の面１２ａとの間、及び支持フィルム１２の他方の面１２ｂ上の少なくともいずれかに位置していればよい。
【００５１】
このような導光フィルム１１は、出射部１６から出射される光の絵柄を所望の色で表示することが可能である。例えば、被覆層１４の入射部１５における回折構造１７ａを、緑色の波長域の光を支持フィルム１２内に入射可能なものとし、また、出射部１６における回折構造１７ｂを、支持フィルム１２内を導光される緑色の波長域の光を外部に出射可能なものとした場合、導光フィルム１１の入射部１５に白色光あるいは緑色の波長域の光を入射させることにより、出射部１６において、緑色の波長域の光の絵柄を表示することができる。そして、導光フィルム１１は発光色素を使用していないので、経時劣化による表示性能の低下を生じることがなく、偽造防止機能を安定して発現することができる。なお、絵柄とは、文字、記号、模様、画像を包含する概念である。
【００５２】
上記導光フィルム１１は、被覆層１４を備えるものであるが、この実施形態に限定されるものではなく、例えば、図２Ｂに示すように、被覆層１４を備えず、支持フィルム１２の一方の面１２ａに入射部１５及び出射部１６が設けられていてもよい。図２Ｂに示す導光フィルム１１は、支持フィルム１２の一方の面１２ａに入射部１５及び出射部１６が設けられ、被覆層１４を備えない以外は、図２Ａに示す導光フィルム１１と同様の構成を有するものである。したがって、図２Ｂに示す導光フィルム１１の各構成要素（支持フィルム１２、入射部１５、出射部１６及び高屈折率層１８）についての詳細な説明は、省略される。なお、図２Ｂに示す導光フィルム１１において、高屈折率層１８が設けられていなくてもよく、支持フィルム１２の一方の面１２ａ上に、金属酸化物のナノ粒子を含有する樹脂、ジルコニウムアクリレートモノマーを重合させてなる重合体、ハフニウムアクリレートモノマーを重合させてなる重合体、ジルコニウムアクリレートモノマーとハフニウムアクリレートモノマーとを共重合させてなる共重合体等の透明材料により構成されるオーバーコート層（保護層，図示を省略）が設けられていてもよい。オーバーコート層（保護層）を構成する透明材料は、支持フィルム１２との間で所望の屈折率差を有する材料であるのが好ましい。
【００５３】
図２Ｂに示す導光フィルム１１において、支持フィルム１２の一方の面１２ａに入射部１５及び出射部１６としての回折構造１７ａ，１７ｂを形成する方法は、特に限定されるものではない。例えば、ダイから押し出された溶融状態の樹脂材料（支持フィルム１２を構成する樹脂材料）を、上記回折構造１７ａ，１７ｂに対応する凹凸構造を有するロールに接触させることで、入射部１５及び出射部１６としての回折構造１７ａ，１７ｂが形成されてなる支持フィルム１２（支持フィルム１２の原反）を製造してもよい。また、支持フィルム１２の一方の面１２ａに対し、上記回折構造１７ａ，１７ｂに対応する凹凸構造を有する版を用いて賦形することで、入射部１５及び出射部１６としての回折構造１７ａ，１７ｂが形成されてなる支持フィルム１２を製造してもよい。
【００５４】
図５Ａは、本発明の導光フィルムの他の実施形態を示す平面図である。図５Ａに示される導光フィルム１１′は、入射部１５を３箇所に有し、各入射部１５に対応した出射部１６を３箇所に有する他は、上述の導光フィルム１１（図１、図２Ａ、図２Ｂ参照）と同様である。このような導光フィルム１１′では、３箇所に位置する入射部１５の中の所望の入射部１５に白色光あるいは所定の波長域の光を入射させることにより、光を入射させた入射部１５に対応する出射部１６において、所定の波長域の光の絵柄を表示することができる。
【００５５】
なお、図５Ａでは、入射部１５と出射部１６の組み合わせが３対、並列に設けられているが、入射部１５と出射部１６の組み合わせの数、配置は、図示例に限定されるものではない。また、図５Ａでは、出射部１６は同一形状（正六角形）の絵柄となるように設定されているが、これに限定されず、例えば、各出射部１６が異なる絵柄であってもよい。
【００５６】
さらに、図５Ｂに示されるように、導光フィルム１１′は、入射部１５と出射部１６との数を互いに一致させなくてもよく、例えば、入射部１５を３箇所に有し、出射部１６を１箇所に有するものであってもよい。図５Ｂに示す導光フィルム１１′は、入射部１５を３箇所に有する以外、上述の導光フィルム１１と同様の構成を有する。このような導光フィルム１１′においては、３箇所に位置する入射部１５のうちのいずれかの入射部１５に白色光あるいは所定の波長域の光を入射させることで、光を入射させた入射部１５に対応するように、出射部１６において所定の波長域の光の絵柄を表示することができる。例えば、３箇所の入射部１５のそれぞれが、互いに異なる波長域の光を入射させ得る回折構造１７ａを有する場合、各入射部１５に白色光あるいは所定の波長域の光を入射させたときに、出射部１６においてそれぞれ異なる波長域の光の絵柄を表示することができ、３箇所に位置する入射部１５のすべてに白色光あるいは所定の波長域の光を同時に入射させたときには、異なる波長域の混色の絵柄を表示することもできる。また、出射部１６を、異なる波長域の光を出射させ得るもの、例えば、互いに周期の異なる複数の回折構造１７ｂを含むものとすることで、各入射部１５に白色光あるいは所定の波長域の光を入射させたときに、出射部１６においてそれぞれ異なる形状の絵柄を表示することもできる。
【００５７】
なお、図５Ｂに示す導光フィルム１１は、３箇所の入射部１５と１箇所の出射部１６とを有するが、入射部１５及び出射部１６の数は、上記の数に限定されるものではない。
【００５８】
図６は、本発明の導光フィルムの他の実施形態を示す平面図である。図６に示される導光フィルム１１″は、１箇所に入射部１５を有し、この入射部１５における回折構造１７ａの回折格子ベクトルの広がりの範囲内の３箇所に、出射部１６を有する他は、上述の導光フィルム１１（図１、図２Ａ、図２Ｂ参照）と同様である。このような導光フィルム１１″では、入射部１５に白色光あるいは所定の波長域の光を入射させることにより、３箇所の出射部１６において、所定の波長域の光の絵柄を同時に表示することができる。
【００５９】
なお、図６では、出射部１６が３箇所に設けられているが、出射部１６の数、配置は、図示例に限定されるものではない。また、図６では、出射部１６は同一形状（正六角形）の絵柄となるように設定されているが、これに限定されず、例えば、各出射部１６が異なる絵柄であってもよい。
【００６０】
上述した導光フィルムの実施形態では、出射部での表示は、所定の波長域の光によるもの、すなわち、単色の表示が可能である。次に、多色の表示が可能な実施形態について説明する。
【００６１】
図７は、本発明の導光フィルムの他の実施形態を示す平面図であり、図８は図７に示される導光フィルムのII−II線における概略断面図である。
図７及び図８において、導光フィルム２１は、支持フィルム２２、この支持フィルム２２の一方の面２２ａに位置する被覆層２４、この被覆層２４上に位置する高屈折率層２８を備えている。なお、図７では、被覆層２４の全域を被覆するように高屈折率層２８が位置しているが、これに限定されるものではない。また、図８では、図面が煩雑となることを避けるために、断面を示す斜線を省略し、また、高屈折率層２８を太線で示している。
【００６２】
導光フィルム２１を構成する支持フィルム２２は、上述の導光フィルム１１（図１、図２Ａ参照）を構成する支持フィルム１２と同様とすることができ、ここでの説明は省略する。また、被覆層２４上に位置する高屈折率層２８も、上述の導光フィルム１１（図１、図２Ａ参照）を構成する高屈折率層１８と同様とすることができる。
【００６３】
導光フィルム２１を構成する被覆層２４は、３箇所に入射部２５となる回折構造２７ａを有し、３箇所に出射部２６となる回折構造２７ｂを有しており、これらの回折構造２７ａ，２７ｂは支持フィルム２２の厚み方向に凹凸を有している。
【００６４】
３箇所に位置している入射部２５は、外部からの入射光Ｌから赤色域の波長λＲの光ＬλRを支持フィルム２２内に入射させるための入射部２５Ｒ、緑色域の波長λＧの光ＬλGを支持フィルム２２内に入射させるための入射部２５Ｇ、青色域の波長λＢの光ＬλBを支持フィルム２２内に入射させるための入射部２５Ｂからなっている。各入射部２５Ｒ，２５Ｇ，２５Ｂに位置する回折構造２７ａの周期Ｐは、それぞれλＲ／ｎ、λＧ／ｎ、λＢ／ｎとされている。ここで、ｎは被覆層２４の屈折率である。なお、図７では、便宜的に、入射部２５Ｒ，２５Ｇ，２５Ｂに位置する回折構造２７ａの凸部を、それぞれ鎖線、一点鎖線、二点鎖線で示している。
【００６５】
また、３箇所に位置している出射部２６は、支持フィルム２２内を導光された赤色域の波長λＲの光ＬλRを外部に出射させるための出射部２６Ｒ、緑色域の波長λＧの光ＬλGを外部に出射させるための出射部２６Ｇ、青色域の波長λＢの光ＬλBを外部に出射させるための出射部２６Ｂからなっている。各出射部２６Ｒ，２６Ｇ，２６Ｂに位置する回折構造２７ｂの周期Ｐは、それぞれλＲ／ｎ、λＧ／ｎ、λＢ／ｎとされている。そして、出射部２６Ｒ，２６Ｇ，２６Ｂは、それぞれ入射部２５Ｒ，２５Ｇ，２５Ｂにおける回折構造２７ａの回折格子ベクトルの方向（図７に矢印ａで示す方向が回折格子ベクトルの中心方向）に位置するように配置されている。したがって、入射部２５Ｒと出射部２６Ｒが一対となり、また、入射部２５Ｇと出射部２６Ｇ、入射部２５Ｂと出射部２６Ｂが一対となるように構成され、これらの各対は並列に配設されている。図７では、便宜的に、出射部２６Ｒ，２６Ｇ，２６Ｂに位置する回折構造２７ｂの凸部を、それぞれ鎖線、一点鎖線、二点鎖線で示している。
【００６６】
なお、被覆層２４の回折構造２７ａ，２７ｂの凸部の高さ（凹部の深さ）、回折構造２７ａ，２７ｂが位置しない領域の被覆層２４の厚さは、上述の導光フィルム１１を構成する被覆層１４と同様とすることができる。
【００６７】
このような導光フィルム２１は、出射部２６から出射される光の絵柄を多色で表示することが可能である。例えば、被覆層２４の入射部２５Ｒに白色光を入射させることにより、出射部２６Ｒにおいて、赤色の波長域の光の絵柄を表示することができる。同様に、入射部２５Ｇに白色光を入射させることにより、出射部２６Ｇにおいて、緑色の波長域の光の絵柄を表示することができ、入射部２５Ｂに白色光を入射させることにより、出射部２６Ｂにおいて、青色の波長域の光の絵柄を表示することができる。そして、導光フィルム２１は発光色素を使用していないので、経時劣化による表示性能の低下を生じることがなく、偽造防止機能を安定して発現することができる。図７、図８では、便宜的に、赤色域の波長λＲの光ＬλRを鎖線、緑色域の波長λＧの光ＬλGを一点鎖線、青色域の波長λＢの光ＬλBを二点鎖線で示している。
【００６８】
なお、図７では、入射部２５と出射部２６との３対の組み合わせが並列に設けられているが、入射部２５と出射部２６との組み合わせの数、配置は、図示例に限定されるものではない。また、図７では、出射部２６は同一形状（正六角形）の絵柄となるように設定されているが、これに限定されず、例えば、表示色に応じて異なる絵柄であってもよい。
【００６９】
また、上記の出射部２６Ｒ，２６Ｇ，２６Ｂは、それぞれ特定の波長域の光に対する波長選択性を具備しているので、入射部２５は、波長選択性を具備しないものであってもよい。この場合、入射部２５を、被覆層２４の所望部位、被覆層２４と支持フィルム２２との層間の所望部位、あるいは、支持フィルム２２の他方の面２２ｂの所望部位に位置する反射層からなるものとしてもよい。また、入射部２５は、被覆層２４の所望部位に位置する凹凸構造からなるものであってもよく、さらに、被覆層２４の所望部位（平面形状）をそのまま入射部２５としてもよい。このような入射部２５は、いずれも、外部からの入射光Ｌ（例えば、白色光）を支持フィルム２２内に入射させる機能を発現する。
【００７０】
また、逆に、上記の入射部２５Ｒ，２５Ｇ，２５Ｂが、それぞれ特定の波長域の光に対する波長選択性を具備しているので、出射部２６は、波長選択性を具備しないものであってもよい。例えば、出射部２６を、被覆層１４に、凹部、凸部等により厚みが変化している部分とし、入射部２５Ｒ，２５Ｇ，２５Ｂから入射され、支持フィルム２２内を導光された光を当該出射部２６から出射するようにしてもよい。
【００７１】
なお、図７及び図８に示す導光フィルム２１において、被覆層２４を備えず、支持フィルム２２の一方の面２２ａの所望の部位に入射部２５及び出射部２６が設けられていてもよい。この場合において、当該支持フィルム２２の一方の面２２ａ上に高屈折率層２８が設けられていてもよいし、金属酸化物のナノ粒子を含有する樹脂、ジルコニウムアクリレートモノマーを重合させてなる重合体、ハフニウムアクリレートモノマーを重合させてなる重合体、ジルコニウムアクリレートモノマーとハフニウムアクリレートモノマーとを共重合させてなる共重合体等の透明材料により構成されるオーバーコート層（保護層）が設けられていてもよい。
【００７２】
図９は、本発明の導光フィルムの他の実施形態を示す平面図であり、図１０は図９に示される導光フィルムのIII−III線における概略断面図である。
図９及び図１０において、導光フィルム３１は、支持フィルム３２、この支持フィルム３２の一方の面３２ａに位置する被覆層３４、この被覆層３４上に位置する高屈折率層３８を備えている。なお、図９では、被覆層３４の全域を被覆するように高屈折率層３８が位置しているが、これに限定されるものではない。また、図１０では、図面が煩雑となることを避けるために、断面を示す斜線を省略し、また、高屈折率層３８を太線で示している。
【００７３】
導光フィルム３１を構成する支持フィルム３２は、上述の導光フィルム１１（図１、図２Ａ参照）を構成する支持フィルム１２と同様とすることができ、ここでの説明は省略する。また、被覆層３４上に位置する高屈折率層３８も、上述の導光フィルム１１（図１、図２Ａ参照）を構成する高屈折率層１８と同様とすることができる。
【００７４】
導光フィルム３１を構成する被覆層３４は、３箇所に入射部３５となる回折構造３７ａを有し、３箇所に出射部３６となる回折構造３７ｂを有しており、これらの回折構造３７ａ，３７ｂは支持フィルム３２の厚み方向に凹凸を有している。
【００７５】
３箇所に位置している入射部３５は、入射部３５Ｒ，３５Ｇ，３５Ｂからなっており、各入射部３５Ｒ，３５Ｇ，３５Ｂは、上述の導光フィルム２１を構成する入射部２５Ｒ，２５Ｇ，２５Ｂに対応するものである。また、３箇所に位置している出射部３６は、出射部３６Ｒ，３６Ｇ，３６Ｂからなっており、各出射部３６Ｒ，３６Ｇ，３６Ｂは、上述の導光フィルム２１を構成する出射部２６Ｒ，２６Ｇ，２６Ｂに対応するものである。なお、図９では、便宜的に、入射部３５Ｒ，３５Ｇ，３５Ｂに位置する回折構造３７ａの凸部、出射部３６Ｒ，３６Ｇ，３６Ｂに位置する回折構造３７ｂの凸部を、それぞれ鎖線、一点鎖線、二点鎖線で示している。
【００７６】
このような入射部３５Ｒ，３５Ｇ，３５Ｂは、回折構造３７ａの回折格子ベクトルの方向（図９に矢印ａで示す方向が回折格子ベクトルの中心方向）が一致するように直列に配置されている。また、出射部３６Ｒ，３６Ｇ，３６Ｂは、入射部３５Ｒ，３５Ｇ，３５Ｂにおける回折構造３７ａの回折格子ベクトルの方向に位置するように直列に配置されている。そして、入射部３５Ｒと出射部３６Ｒが一対となり、また、入射部３５Ｇと出射部３６Ｇ、入射部３５Ｂと出射部３６Ｂが一対となるように構成されている。したがって、これらの各対は導光路が一部重複するように直列に配設されている。
【００７７】
このような導光フィルム３１は、出射部３６から出射される光の絵柄を多色で表示することが可能である。例えば、被覆層３４の入射部３５Ｒに白色光を入射させることにより、出射部３６Ｒにおいて、赤色の波長域の光の絵柄を表示することができる。同様に、入射部３５Ｇに白色光を入射させることにより、出射部３６Ｇにおいて、緑色の波長域の光の絵柄を表示することができ、入射部３５Ｂに白色光を入射させることにより、出射部３６Ｂにおいて、青色の波長域の光の絵柄を表示することができる。そして、導光フィルム３１は発光色素を使用していないので、経時劣化による表示性能の低下を生じることがなく、偽造防止機能を安定して発現することができる。図９、図１０では、便宜的に、赤色域の波長λＲの光ＬλRを鎖線、緑色域の波長λＧの光ＬλGを一点鎖線、青色域の波長λＢの光ＬλBを二点鎖線で示している。
【００７８】
なお、図９では、入射部３５と出射部３６の３対の組み合わせが直列に設けられているが、入射部３５と出射部３６の組み合わせの数、配置は、図示例に限定されるものではない。また、図９では、出射部３６は同一形状（正六角形）の絵柄となるように設定されているが、これに限定されず、例えば、表示色に応じて異なる絵柄であってもよい。
【００７９】
また、上記の出射部３６Ｒ，３６Ｇ，３６Ｂは、それぞれ特定の波長域の光に対する波長選択性を具備しているので、入射部３５は、波長選択性を具備しないものであってもよい。この場合、入射部３５を、被覆層３４の所望部位、あるいは、被覆層３４と支持フィルム３２との層間の所望部位、あるいは、支持フィルム３２の他方の面３２ｂの所望部位の何れかに位置する反射層からなるものとしてもよい。また、入射部３５は、被覆層３４の所望部位に位置する凹凸構造からなるものであってもよく、さらに、被覆層３４の所望部位（平面形状）をそのまま入射部３５としてもよい。このような入射部３５は、いずれも、外部からの入射光Ｌ（例えば、白色光）を支持フィルム３２内に入射させる機能を発現する。
【００８０】
なお、図９及び図１０に示す導光フィルム３１において、被覆層３４を備えず、支持フィルム３２の一方の面３２ａの所望の部位に入射部３５及び出射部３６が設けられていてもよい。この場合において、当該支持フィルム３２の一方の面３２ａ上に高屈折率層３８が設けられていてもよいし、金属酸化物のナノ粒子を含有する樹脂、ジルコニウムアクリレートモノマーを重合させてなる重合体、ハフニウムアクリレートモノマーを重合させてなる重合体、ジルコニウムアクリレートモノマーとハフニウムアクリレートモノマーとを共重合させてなる共重合体等の透明材料により構成されるオーバーコート層（保護層）が設けられていてもよい。
【００８１】
図１１は、本発明の導光フィルムの他の実施形態を示す平面図であり、図１２は図１１に示される導光フィルムのIV−IV線における概略断面図である。
図１１及び図１２において、導光フィルム４１は、支持フィルム４２、この支持フィルム４２の一方の面４２ａに位置する被覆層４４、この被覆層４４上に位置する高屈折率層４８を備えている。なお、図１１では、被覆層４４の全域を被覆するように高屈折率層４８が位置しているが、これに限定されるものではない。また、図１２では、図面が煩雑となることを避けるために、断面を示す斜線を省略し、また、高屈折率層４８を太線で示している。
【００８２】
導光フィルム４１を構成する支持フィルム４２は、上述の導光フィルム１１（図１、図２Ａ参照）を構成する支持フィルム１２と同様とすることができ、ここでの説明は省略する。また、被覆層４４上に位置する高屈折率層４８も、上述の導光フィルム１１（図１、図２Ａ参照）を構成する高屈折率層１８と同様とすることができる。
【００８３】
導光フィルム４１を構成する被覆層４４は、３箇所に入射部４５となる回折構造４７ａを有し、３箇所に出射部４６となる回折構造４７ｂを有しており、これらの回折構造４７ａ，４７ｂは支持フィルム４２の厚み方向に凹凸を有している。
【００８４】
３箇所に位置している入射部４５は、相互に隣接している入射部４５Ｒ，４５Ｇ，４５Ｂからなっている。このような入射部４５Ｒ，４５Ｇ，４５Ｂは、それぞれ上述の導光フィルム２１を構成する入射部２５Ｒ，２５Ｇ，２５Ｂに対応するものである。そして、入射部４５Ｒは、回折構造４７ａの回折格子ベクトルの方向が後述する出射部４６Ｒの配設位置を向くように配設されている。同様に、入射部４５Ｇは、回折構造４７ａの回折格子ベクトルの方向が後述する出射部４６Ｇの配設位置を向くように配設され、入射部４５Ｂは、回折構造４７ａの回折格子ベクトルの方向が後述する出射部４６Ｂの配設位置を向くように配設されている。なお、図１１では、便宜的に、入射部４５Ｒ，４５Ｇ，４５Ｂに位置する回折構造４７ａの凸部を、それぞれ鎖線、一点鎖線、二点鎖線で示している。
【００８５】
ここで、上記の入射部４５Ｒ，４５Ｇ，４５Ｂが相互に隣接するとは、入射部が互いに接している状態、入射部が互いに離間している状態の両方を包含している。入射部が互いに離間している場合、隣り合う入射部同士の間隔は、例えば、１〜１０００μｍの範囲内であることが好ましい。以下の実施形態においても同様であり、出射部が隣接する場合においても同様である。
【００８６】
また、３箇所に位置している出射部４６は、出射部４６Ｒ，４６Ｇ，４６Ｂからなっており、各出射部４６Ｒ，４６Ｇ，４６Ｂは、上述の導光フィルム２１を構成する出射部２６Ｒ，２６Ｇ，２６Ｂに対応するものである。このような出射部４６Ｒ，４６Ｇ，４６Ｂは、入射部４５Ｒ，４５Ｇ，４５Ｂが相互に隣接して配設されている入射部４５に対して並列に配置されている。なお、図１１では、便宜的に、出射部４６Ｒ，４６Ｇ，４６Ｂに位置する回折構造４７ｂの凸部を、それぞれ鎖線、一点鎖線、二点鎖線で示している。
【００８７】
このような導光フィルム４１は、各入射部４５Ｒ，４５Ｇ，４５Ｂが相互に隣接して配設されている入射部４５に白色光を入射させることにより、出射部４６Ｒ，４６Ｇ，４６Ｂにおいて、同時に、赤色の波長域の光の絵柄、緑色の波長域の光の絵柄、青色の波長域の光の絵柄を表示することができる。すなわち、入射部４５Ｒから支持フィルム４２内に入射された赤色域の波長λＲの光ＬλRは、出射部４６Ｒから出射され、赤色の波長域の光の絵柄が表示される。同様に、入射部４５Ｇから支持フィルム４２内に入射された緑色域の波長λＧの光ＬλGは、出射部４６Ｇから出射され、緑色の波長域の光の絵柄が表示され、入射部４５Ｂから支持フィルム４２内に入射された青色域の波長λＢの光ＬλBは、出射部４６Ｂから出射され、青色の波長域の光の絵柄が表示される。なお、相互に隣接している入射部４５Ｒ，４５Ｇ，４５Ｂからそれぞれ支持フィルム４２内に入射された赤色域の波長λＲの光ＬλR、緑色域の波長λＧの光ＬλG、青色域の波長λＢの光ＬλBは、支持フィルム４２内を導光される過程で混ざり合い、その後、出射部４６Ｒ，４６Ｇ，４６Ｂにおいて再度特定の波長が選択され、それぞれ赤色域の波長λＲの光ＬλR、緑色域の波長λＧの光ＬλG、青色域の波長λＢの光ＬλBが出射されるものであってもよい。
【００８８】
このような導光フィルム４１は発光色素を使用していないので、経時劣化による表示性能の低下を生じることがなく、偽造防止機能を安定して発現することができる。図１１、図１２では、便宜的に、赤色域の波長λＲの光ＬλRを鎖線、緑色域の波長λＧの光ＬλGを一点鎖線、青色域の波長λＢの光ＬλBを二点鎖線で示している。
【００８９】
なお、相互に隣接して入射部４５を構成する入射部４５Ｒ，４５Ｇ，４５Ｂの数、配置は、図示例に限定されるものではない。また、図１１では、出射部４６は同一形状（正六角形）の絵柄となるように設定されているが、これに限定されず、例えば、表示色に応じて異なる絵柄であってもよい。
【００９０】
また、上記の出射部４６Ｒ，４６Ｇ，４６Ｂは、それぞれ特定の波長域の光に対する波長選択性を具備しているので、入射部４５は、波長選択性を具備しないものであってもよい。この場合、入射部４５を、被覆層４４の所望部位、あるいは、被覆層４４と支持フィルム４２との層間の所望部位、あるいは、支持フィルム４２の他方の面４２ｂの所望部位の何れかに位置する反射層からなるものとしてもよい。また、入射部４５は、被覆層４４の所望部位に位置する凹凸構造からなるものであってもよく、さらに、被覆層４４の所望部位（平面形状）をそのまま入射部４５としてもよい。このような入射部４５は、いずれも、外部からの入射光Ｌ（例えば、白色光）を支持フィルム４２内に入射させる機能を発現する。
【００９１】
また、逆に、上記の入射部４５Ｒ，４５Ｇ，４５Ｂは、それぞれ特定の波長域の光に対する波長選択性を具備しているので、出射部４６は、波長選択性を具備しないものであってもよい。例えば、出射部４６を、被覆層１４に、凹部、凸部等により厚みが変化している部分とし、入射部４５Ｒ，４５Ｇ，４５Ｂから入射され、支持フィルム２２内を導光された光を当該出射部４６から出射するようにしてもよい。
【００９２】
なお、図１１及び図１２に示す導光フィルム４１において、被覆層４４を備えず、支持フィルム４２の一方の面４２ａの所望の部位に入射部４５及び出射部４６が設けられていてもよい。この場合において、当該支持フィルム４２の一方の面４２ａ上に高屈折率層４８が設けられていてもよいし、金属酸化物のナノ粒子を含有する樹脂、ジルコニウムアクリレートモノマーを重合させてなる重合体、ハフニウムアクリレートモノマーを重合させてなる重合体、ジルコニウムアクリレートモノマーとハフニウムアクリレートモノマーとを共重合させてなる共重合体等の透明材料により構成されるオーバーコート層（保護層）が設けられていてもよい。
【００９３】
図１３は、本発明の導光フィルムの他の実施形態を示す平面図である。
図１３において、導光フィルム５１は、支持フィルム５２、この支持フィルム５２の一方の面に位置する被覆層５４、この被覆層５４上に位置する高屈折率層５８を備えている。なお、図１３では、被覆層５４の全域を被覆するように高屈折率層５８が位置しているが、これに限定されるものではない。
【００９４】
導光フィルム５１を構成する支持フィルム５２は、上述の導光フィルム１１（図１、図２Ａ参照）を構成する支持フィルム１２と同様とすることができ、ここでの説明は省略する。また、被覆層５４上に位置する高屈折率層５８も、上述の導光フィルム１１（図１、図２Ａ参照）を構成する高屈折率層１８と同様とすることができる。
【００９５】
導光フィルム５１を構成する被覆層５４は、９箇所に入射部５５となる回折構造５７ａを有し、２５箇所に出射部５６となる回折構造５７ｂを有しており、これらの回折構造５７ａ，５７ｂは支持フィルム５２の厚み方向に凹凸を有している。
【００９６】
９箇所に位置している入射部５５は、それぞれ３箇所に位置している入射部５５Ｒ，５５Ｇ，５５Ｂからなっており、各入射部５５Ｒ，５５Ｇ，５５Ｂは碁盤目をなすように相互に隣接して配設され、１個の入射部５５を構成している。このような入射部５５Ｒ，５５Ｇ，５５Ｂは、それぞれ上述の導光フィルム２１を構成する入射部２５Ｒ，２５Ｇ，２５Ｂに対応するものである。そして、３箇所に位置している入射部５５Ｒは、３箇所の入射部５５Ｒにおける回折構造５７ａの回折格子ベクトルの広がり範囲の集合が、２５箇所に位置する出射部５６を包含するように配設されている。同様に、３箇所に位置している入射部５５Ｇは、３箇所の入射部５５Ｇにおける回折構造５７ａの回折格子ベクトルの広がり範囲の集合が、２５箇所に位置する出射部５６を包含するように配設され、３箇所に位置している入射部５５Ｂについても、３箇所の入射部５５Ｂにおける各回折構造５７ａの回折格子ベクトルの広がり範囲の集合が、２５箇所に位置する出射部５６を包含するように配設されている。なお、図１３では、便宜的に、入射部５５Ｒ，５５Ｇ，５５Ｂに位置する回折構造５７ａの凸部を、それぞれ鎖線、一点鎖線、二点鎖線で示している。
【００９７】
また、２５箇所に位置している出射部５６は、出射部５６Ｒ，５６Ｇ，５６Ｂからなっており、各出射部５６Ｒ，５６Ｇ，５６Ｂは、上述の導光フィルム２１を構成する出射部２６Ｒ，２６Ｇ，２６Ｂに対応するものである。このような出射部５６Ｒ，５６Ｇ，５６Ｂは、所望の絵柄を赤（Ｒ）、緑（Ｇ）、青（Ｂ）の３色で表示するように、碁盤目状に相互に隣接して配設されており、これにより、全体で１個の出射部５６を構成している。したがって、表示する３色から構成される絵柄に応じて、出射部５６Ｒ，５６Ｇ，５６Ｂの数、配置を適宜設定することができる。なお、図１３では、便宜的に、出射部５６Ｒ，５６Ｇ，５６Ｂに位置する回折構造５７ｂの凸部を、それぞれ鎖線、一点鎖線、二点鎖線で示している。
【００９８】
このような本発明の導光フィルム５１は、各入射部５５Ｒ，５５Ｇ，５５Ｂが碁盤目をなすように相互に隣接して配設されている１個の入射部５５に白色光を入射させることにより、出射部５６Ｒ，５６Ｇ，５６Ｂが碁盤目状に相互に隣接して所望の位置に配設されている出射部５６において、赤色、緑色、青色の複数色による表示が可能となる。すなわち、３個の入射部５５Ｒから支持フィルム５２内に入射された赤色域の波長λＲの光ＬλRは、所望の位置に配設されている出射部５６Ｒから出射され、３個の入射部５５Ｇから支持フィルム５２内に入射された緑色域の波長λＧの光ＬλGは、所望の位置に配設されている出射部５６Ｇから出射され、３個の入射部５５Ｂから支持フィルム５２内に入射された青色域の波長λＢの光ＬλBは、所望の位置に配設されている出射部５６Ｂから出射され、赤色、緑色、青色の各波長域の光の絵柄が表示されるので、３色での表示が可能となる。なお、相互に隣接している各入射部５５Ｒ，５５Ｇ，５５Ｂからそれぞれ支持フィルム５２内に入射された赤色域の波長λＲの光ＬλR、緑色域の波長λＧの光ＬλG、青色域の波長λＢの光ＬλBは、支持フィルム５２内を導光される過程で混ざり合い、その後、出射部５６Ｒ，５６Ｇ，５６Ｂにおいて再度特定の波長が選択され、それぞれ赤色域の波長λＲの光ＬλR、緑色域の波長λＧの光ＬλG、青色域の波長λＢの光ＬλBが出射されるものであってもよい。
【００９９】
このような導光フィルム５１は発光色素を使用していないので、経時劣化による表示性能の低下を生じることがなく、偽造防止機能を安定して発現することができる。図１３では、便宜的に、赤色域の波長λＲの光ＬλRを鎖線、緑色域の波長λＧの光ＬλGを一点鎖線、青色域の波長λＢの光ＬλBを二点鎖線で示している。
【０１００】
なお、図１３では、入射部５５が３箇所の入射部５５Ｒ、３箇所の入射部５５Ｇ、３箇所の入射部５５Ｂで構成されているが、入射部５５Ｒ，５６Ｇ，５６Ｂの数、配置は、図示例に限定されるものではない。また、図１３では、２５箇所に設けられた出射部５６で絵柄が構成されているが、絵柄を構成する出射部５６の数、個々の出射部５６の形状、寸法比等は、これに限定されない。
【０１０１】
なお、図１３に示す導光フィルム５１において、被覆層５４を備えず、支持フィルム５２の一方の面５２ａの所望の部位に入射部５５及び出射部５６が設けられていてもよい。この場合において、当該支持フィルム５２の一方の面５２ａ上に高屈折率層５８が設けられていてもよいし、金属酸化物のナノ粒子を含有する樹脂、ジルコニウムアクリレートモノマーを重合させてなる重合体、ハフニウムアクリレートモノマーを重合させてなる重合体、ジルコニウムアクリレートモノマーとハフニウムアクリレートモノマーとを共重合させてなる共重合体等の透明材料により構成されるオーバーコート層（保護層）が設けられていてもよい。
【０１０２】
上述の導光フィルムの実施形態は例示であり、本発明の導光フィルムはこれらの実施形態に限定されるものではない。例えば、導光フィルムは、高屈折率層を備えていないものであってもよい。また、導光フィルムの用途に応じて、例えば、支持フィルムと被覆層との間に剥離層が介在している導光フィルムであってもよい。
【０１０３】
また、上記の導光フィルム５１では、出射部５６Ｒ，５６Ｇ，５６Ｂから出射される光が赤（Ｒ）、緑（Ｇ）、青（Ｂ）であり、この３色による表示が可能であるが、出射部から出射される光は赤（Ｒ）、緑（Ｇ）、青（Ｂ）のいずれかに限定されるものではなく、例えば、黄色、青緑色等の単色であってもよいし、赤（Ｒ）と緑（Ｇ）との混色、緑（Ｇ）と青（Ｂ）との混色であってもよい。
【０１０４】
また、入射部からの入射、入射部から出射部までの支持フィルム内の導光、出射部からの出射が可能であれば、支持フィルム上に被覆層が存在しない部位があってもよい。例えば、被覆層が複数の出射部を有する場合、平面視において支持フィルム上に複数の被覆層が存在し、これらの各被覆層に出射部が１つ以上位置するものであってもよい。また、導光フィルムが複数の出射部を有する場合、一部の出射部には被覆層が存在し、他の出射部には被覆層が存在しないものであってもよい。
【０１０５】
上記導光フィルムは、上述のように、発光色素を使用していないので、経時劣化による表示性能の低下を生じることがなく、偽造防止機能を安定して発現することができる。また、発光色素を発光させる必要がないので、例えば、比較的光量の低いＬＥＤ光源から照射される白色光で表示可能である。さらに、発光色素を使用していないので、製造工程の増大、原料コストの増大による製造コストの増大を抑制することができる。
【０１０６】
［偽造防止用構造体］
本発明の偽造防止用構造体は、上述の導光フィルムを用いたものである。
図１４は、本発明の偽造防止用構造体の一実施形態を示す概略断面図である。図１４に示される偽造防止用構造体１０１は、図１〜図３に示される導光フィルム１１を用いた例であり、導光フィルム１１と、この導光フィルム１１の被覆層１４側の最表面に位置する接着層１０２と、を備えている。
【０１０７】
接着層１０２は、導光フィルム１１が備えている高屈折率層１８上に位置するものであり、偽造防止機能を付与する対象の物品に導光フィルム１１を貼合する作用をなすものである。接着層１０２を形成する接着剤としては、ヒートシール型接着剤、感圧型接着剤、粘着型接着剤等、偽造防止用構造体の用途に応じて適宜選択することができる。このような接着層１０２は、導光フィルム１１の被覆層１４が備えている回折構造１７ａ，１７ｂが、偽造防止用構造体１０１の貼合対象となる物品と当接して損傷しないような緩衝層としの作用も発現する。接着層１０２の厚みは、例えば、回折構造１７ａ，１７ｂ上に接着層１０２が０．１〜１００μｍの範囲で存在するように設定することができる。
【０１０８】
この偽造防止用構造体１０１は、所望の物品に接着層１０２を介して貼合することにより、偽造防止機能を付与することができる。すなわち、例えば、比較的光量の低いＬＥＤ光源からの光を、対象物品に貼合してある偽造防止用構造体１０１の入射部１５に照射して、所定の色で絵柄が出射部１６に表示されるか否かにより、真贋判定を行うことができる。
【０１０９】
図１５は、偽造防止用構造体の他の実施形態を示す概略断面図である。図１５に示される偽造防止用構造体１１１は、図１〜図３に示される導光フィルム１１を用いた例であり、導光フィルム１１と、この導光フィルム１１の被覆層１４側の最表面に位置する接着層１１２と、支持フィルム１２側に位置する接着層１１３を備えている。
【０１１０】
接着層１１２は、導光フィルム１１が備えている高屈折率層１８上に位置するものであり、ヒートシール型接着剤を用いて形成されたものである。このような接着層１１２は、導光フィルム１１の被覆層が備えている回折構造１７ａ，１７ｂが対象物品と当接して損傷しないような緩衝層としの作用を発現することが好ましく、接着層１１２の厚みは、例えば、回折構造１７ａ，１７ｂ上に接着層１１２が０．１〜１００μｍの範囲で存在するように設定することができる。また、接着層１１３もヒートシール型接着剤を用いて形成されたものであり、その厚みは、例えば、０．１〜１００μｍの範囲内で設定することができる。
【０１１１】
この偽造防止用構造体１１１は、例えば、紙の抄造段階で抄き込むことにより、カレンダー工程における加熱でヒートシール型接着剤からなる接着層１１２，１１３がパルプに対する接着性を発現する。これにより、導光フィルム１１をスレッドとして組み込んで、偽造防止機能を付与することができる。
【０１１２】
なお、上述の偽造防止用構造体１０１において、接着層１０２がヒートシール型接着剤を用いて形成されたものは、偽造防止用構造体１１１と同様に、紙の抄造段階で抄き込むことにより、導光フィルムスレッドとして偽造防止機能を付与することができる。
【０１１３】
図１６は、偽造防止用構造体の他の実施形態を示す概略断面図である。図１６に示される偽造防止用構造体１２１は、図１〜図３に示される導光フィルム１１であって、支持フィルム１２と被覆層１４との間に剥離層１９が介在している導光フィルム１１を用いた例である。この偽造防止用構造体１２１は、導光フィルム１１の被覆層１４側の最表面に接着層１２２を備えている。
【０１１４】
剥離層１９は、剥離層１９と支持フィルム１２との密着力が、剥離層１９と被覆層１４との密着力よりも小さくなるように、支持フィルム１２の材質、被覆層１４の材料を考慮して剥離剤を適宜選定して形成することができる。
【０１１５】
接着層１２２は、導光フィルム１１が備えている高屈折率層１８上に位置するものであり、ヒートシール型接着剤等を用いて形成されたものである。使用する接着剤は、転写対象物品との接着力が、上記の剥離層１９と支持フィルム１２との密着力よりも大きくなるように、公知の接着剤から適宜選択することができる。このような接着層１２２の厚みは、偽造防止用構造体１２１を転写対象物品に密着した後、支持フィルム１２が剥離除去されるため、導光フィルム１１の入射部１５から入射した光Ｌから特定の波長域の光Ｌλが被覆層１４内に入射されるように、接着層１２２の屈折率を考慮して設定することができる。また、転写対象物品が透明基材である場合、接着層１２２の厚みは、偽造防止用構造体１２１を転写対象物品に転写した後、導光フィルム１１の入射部１５から入射した光Ｌから特定の波長域の光Ｌλが転写対象物品内に入射されるように、転写対象物品の屈折率を考慮して設定することができる。
【０１１６】
この偽造防止用構造体１２１は、所望の物品に接着層１２２を介して密着し、その後、支持フィルム１２を剥離除去することにより、偽造防止機能を付与することができる。すなわち、例えば、比較的光量の低いＬＥＤ光源からの白色光を対象物品に転写してある偽造防止用構造体１２１の入射部１５に照射して、所定の色で絵柄が出射部１６に表示されるか否かにより、真贋判定を行うことができる。
【０１１７】
このような偽造防止用構造体は、出射部から出射される光の絵柄を所望の色で表示したり、多色画像として表示することが可能な偽造防止機能であって、安定した偽造防止機能を、対象物品に付与することができる。
【０１１８】
上述の偽造防止用構造体の実施形態は例示であり、本発明の偽造防止用構造体はこれらの実施形態に限定されるものではない。例えば、導光フィルム１１に代えて、上述の導光フィルム２１，３１，４１，５１のいずれかを用いてもよいし、図２Ｂに示す被覆層１４を備えない導光フィルム１１を用いてもよい。
【０１１９】
［偽造防止物品］
本発明の偽造防止物品は、上述の導光フィルム、あるいは、上述の偽造防止用構造体を用いたものである。ここで、偽造防止物品とは、例えば、紙幣；パスポート、身分証明カード、運転免許証、健康保険証等のＩＤカード類；キャッシュカード、クレジットカード等の有価証券類等の偽造防止機能が付与された媒体（偽造防止媒体）を含む概念である。
【０１２０】
図１７は、偽造防止物品の一実施形態を示す平面図であり、図１８は図１７に示される偽造防止物品のＶ−Ｖ線における概略断面図であって、構成層の一部を離間させたものであり、図１９は図１７に示される偽造防止物品のVI−VI線における部分拡大断面図である。
【０１２１】
図１７〜図１９に示される偽造防止物品２０１は、本発明の導光フィルム１１を備えており、図１５に示される偽造防止用構造体１１１を用いた例である。この偽造防止物品２０１は、複数枚の基材２０２からなる積層体と、この積層体の最外層の基材２０２に設けられた印刷層２０３，２０３′と、印刷層２０３側に配設された偽造防止用構造体１１１と、この偽造防止用構造体１１１を被覆するように配設された透明基材２０４、反対側の印刷層２０３′に配設された透明基材２０４′を備えている。
【０１２２】
基材２０２の材質は、例えば、塩化ビニル、ポリエチレンテレフタレート、ポリカーボネート等を挙げることができ、特に制限はなく、偽造防止物品２０１の用途に応じて適宜選択することができる。図示例では、複数枚の基材２０２からなる積層体の最外層の２枚のみを示しているが、基材２０２の枚数は適宜設定することができる。
【０１２３】
印刷層２０３，２０３′は、基材２０２の全面に設けられていてもよく、また、一部に設けられていてもよい。
【０１２４】
また、偽造防止物品２０１において偽造防止用構造体１１１が存在する厚み方向の領域（図１８に一点鎖線で囲んだ領域）を透明な窓部としてもよい。このような偽造防止物品２０１は、基材２０２として透明材料を使用し、透明な窓部とする領域に印刷層２０３，２０３′を設けないことにより作製することができる。また、透明な窓部とする領域が開口部となるように、複数枚の基材２０２からなる積層体を形成し、開口部に透明基材を嵌合してもよい。このような偽造防止物品２０１は、表裏いずれからも、偽造防止用構造体１１１に対して光を入射させることができる。
また、偽造防止用構造体１１１は、図１９に示される状態と表裏逆に配設してもよい。
【０１２５】
このような偽造防止物品２０１は、偽造防止用構造体１１１を、透明基材２０４と印刷層２０３、基材２０２とで挟持した状態で熱融着することにより製造することができる。
この偽造防止物品２０１は、例えば、比較的光量の低いＬＥＤ光源からの白色光を入射部１５に照射して、所定の色で絵柄が出射部１６に表示されるか否かにより、真贋判定を行うことができる。
【０１２６】
図２０は、偽造防止物品の他の実施形態を示す平面図であり、図２１は、図２０に示される偽造防止物品のVII−VII線における部分拡大断面図である。図２０、図２１に示される偽造防止物品２１１は、図２Ａに示す導光フィルム１１を、支持フィルム１２が存在しない状態で備えており、図１６に示される偽造防止用構造体１２１を用いた例である。この偽造防止物品２１１は、カード基材２１２に、接着層１２２を介して偽造防止用構造体１２１を密着させ、その後、支持フィルム１２を剥離除去して作製することができる。
【０１２７】
この偽造防止物品２１１は、例えば、比較的光量の低いＬＥＤ光源からの白色光を入射部１５に照射して、所定の色で絵柄が出射部１６に表示されるか否かにより、真贋判定を行うことができる。
【０１２８】
図２２は、偽造防止物品（偽造防止媒体）の他の実施形態の一具体例である紙幣を示す平面図であり、図２３は、図２２に示される偽造防止物品（偽造防止媒体）としての紙幣のVIII−VIII線における部分拡大断面図である。
【０１２９】
図２２及び図２３に示されるように、偽造防止物品（偽造防止媒体）としての紙幣２２１は、二軸延伸ポリプロピレン（ＢＯＰＰ）などの基材２２２と、基材２２２の一方面の所望の位置に接着層１２２を介して密着させてなる導光フィルム１１とを含む。この導光フィルム１１は、接着層１２２側から高屈折率層１８、被覆層１４及び剥離層１９がこの順に積層され、支持フィルム１２を有しないものである。この紙幣２２１は、基材２２２に、図１６に示される偽造防止用構造体１２１を、接着層１２２を介して密着させ、その後、支持フィルム１２を剥離除去することで作製され得る。
【０１３０】
この紙幣２２１においては、図２３に示すように、入射部１５から入射された光Ｌは、基材２２２の他方面と外部との界面及び剥離層１９と外部との界面において反射しながら導光し、出射光Ｌλが出射部１６から出射される。例えば、比較的光量の低いＬＥＤ光源からの白色光を入射部１５に照射すると、所定の色の絵柄が出射部１６に表示される。これにより、紙幣２２１の真贋判定が可能となる。なお、入射部１５から入射された光Ｌのほとんどは、最も屈折率差の大きい基材２２２の他方面と外部との界面及び剥離層１９と外部との界面にて反射するものと考えられるが、一部の光は、基材２２２と接着層１２２との界面や、接着層１２２と高屈折率層１８との界面等においても反射するものと考えられる。
【０１３１】
なお、偽造防止物品（偽造防止媒体）としての紙幣２２１は、二軸延伸ポリプロピレン（ＢＯＰＰ）等の基材２２２の所望の位置に、入射部１５及び出射部１６を設けてなるものであってもよいし、当該所望の位置に接着層１２２を介して図２Ｂに示す導光フィルム１１を接着させたものであってもよい。
【０１３２】
図２４は、偽造防止物品（偽造防止媒体）の他の実施形態の一具体例であるＩＤカードを示す平面図であり、図２５は、図２４に示される偽造防止物品（偽造防止媒体）としてのＩＤカードのIX−IX線における断面図であり、図２６及び図２７は、図２４及び図２５に示される偽造防止物品の他の態様を示す、図２４のIX−IX線に相当する線における断面図である。
【０１３３】
図２４及び図２５に示すように、偽造防止物品（偽造防止媒体）としてのＩＤカード２３１は、第１印刷層２３２１、第１コアシート層２３２２、第２コアシート層２３２３、第２印刷層２３２４及びレーザ発色層２３２５がこの順で積層されてなるカード基材２３２と、レーザ発色層２３２５側の所望の位置に接着層１２２を介して密着させてなる導光フィルム１１とを含む積層体を積層方向上下から第１オーバーシート層２３３及び第２オーバーシート層２３４にて挟むように被覆されてなる構成を有する。導光フィルム１１は、接着層１２２側から高屈折率層１８及び被覆層１４がこの順に積層され、支持フィルム１２を有しないものである。このＩＤカード２３１は、カード基材２３２の所望の位置に積層方向に貫通する貫通孔を形成し、当該貫通孔に透明樹脂層２３５を嵌合させ、その透明樹脂層２３５を嵌合させたカード基材２３２に、図１６に示される偽造防止用構造体１２１を、接着層１２２を介して密着させ、その後、支持フィルム１２を剥離除去することで作製され得る。
【０１３４】
ＩＤカード２３１は、図２６に示すように、透明樹脂層２３５を有さず、カード基材２３２のレーザ発色層２３２５上に接着層１２２を介して密着させてなる導光フィルム１１を含む積層体を積層方向上下から第１オーバーシート層２３３及び第２オーバーシート層２３４にて挟むように被覆されてなる構成を有していてもよい。また、ＩＤカード２３１は、図２７に示すように、カード基材２３２の所望の位置に形成された積層方向に貫通する貫通孔に、透明樹脂層２３５及び透明樹脂層２３５上に接着層１２２を介して密着させてなる導光フィルム１１を含む積層体を嵌合させ、当該積層体を嵌合させたカード基材２３２を積層方向上下から第１オーバーシート層２３３及び第２オーバーシート層２３４にて挟むように被覆されてなる構成を有していてもよい。
【０１３５】
これらのＩＤカード２３１においては、図２５〜図２７に示すように、入射部１５から入射された光Ｌは、第１オーバーシート層２３３と外部との界面及び第２オーバーシート層２３４と外部との界面において反射しながら導光し、出射光Ｌλが出射部１６から出射される。例えば、比較的光量の低いＬＥＤ光源からの白色光を入射部１５に照射すると、所定の色の絵柄が出射部１６に表示される。これにより、ＩＤカード２３１の真贋判定が可能となる。なお、入射部１５から入射された光Ｌのほとんどは、最も屈折率差の大きい第１オーバーシート層２３３と外部との界面及び第２オーバーシート層２３４と外部との界面にて反射するものと考えられるが、一部の光は、カード基材２３２内の各層の界面等においても反射するものと考えられる。
【０１３６】
なお、図２５及び図２７に示される偽造防止物品（偽造防止媒体）としてのＩＤカード２３１において、カード基材２３２の所望の位置に形成された貫通孔に嵌合させた透明樹脂層２３５上に位置する導光フィルム１１に代えて、当該透明樹脂層２３５に入射部１５及び出射部１６が直接設けられていてもよいし、図２Ｂに示す導光フィルム１１（被覆層１４を有しない導光フィルム１１）が設けられていてもよい。
【０１３７】
図２５〜２７に示される偽造防止物品（偽造防止媒体）としてのＩＤカード２３１において、導光フィルム１１に代えて、第１オーバーシート層２３３又は第２オーバーシート層２３４に入射部１５及び出射部１６が直接設けられていてもよい。また、被覆層１４と第２オーバーシート層２３４との間に、被覆層１４側から剥離層とヒートシール層とがこの順に積層されていてもよい。さらに、カード基材２３２を構成する各層（第１印刷層２３２１、第１コアシート層２３２２、第２コアシート層２３２３、第２印刷層２３２４及びレーザ発色層２３２５）の積層順は、当該各層の機能が奏され得る限りにおいて、特に制限されない。さらにまた、カード基材２３２は、第１印刷層２３２１及び第２印刷層２３２４のいずれか一方又は両方を有しないものであってもよい。
【０１３８】
上述の偽造防止物品の実施形態は例示であり、本発明の偽造防止物品は、これらの実施形態に限定されるものではない。例えば、偽造防止物品が備える導光フィルムは、導光フィルム１１に限定されず、上述の導光フィルム２１，３１，４１，５１のいずれかを備えるもの、あるいは、上述の導光フィルム２１，３１，４１，５１を、支持フィルム２２，３２，４２，５２が存在しない状態で備えるものであってもよい。
【０１３９】
また、本発明の偽造防止物品は、例えば、上述のように、紙の抄造段階で本発明の偽造防止用構造体１１１を抄き込むことにより、本発明の導光フィルム１１をスレッドとして具備するものであってもよい。このようなスレッドは、抄造した紙の一方の表面に連続して配設されてもよく、また、少なくとも導光フィルム１１の入射部１５と出射部１６が紙の一方の表面に位置し、他の部位が紙の内部に位置するように、周期的にスレッドが露出するように配設されてもよい。さらに、抄造した紙の一方の表面と他方の表面に交互に露出するように配設され、かつ、露出部位に少なくとも導光フィルム１１の入射部１５と出射部１６が位置するように配設してもよい。
【０１４０】
このような本発明の偽造防止物品は、出射部から出射される光の絵柄を所望の色で表示したり、多色画像として表示したりすることが可能であるとともに安定した偽造防止機能を具備しており、真贋判定を容易に行うことができる。
【産業上の利用可能性】
【０１４１】
本発明は、偽造防止機能を必要とする種々の物品、製品及びそれらの製造分野等において有用である。
【符号の説明】
【０１４２】
１１，２１，３１，４１，５１…導光フィルム
１２，２２，３２，４２，５２…支持フィルム
１４，２４，３４，４４，５４…被覆層
１５，２５，３５，４５，５５…入射部
１６，２６，３６，４６，５６…出射部
１７ａ，１７ｂ，２７ａ，２７ｂ，３７ａ，３７ｂ，４７ａ，４７ｂ，５７ａ，５７ｂ…回折構造
１８，２８，３８，４８，５８…高屈折率層
１９…剥離層
２０…反射層
１０１，１１１，１２１…偽造防止用構造体
１０２，１１２，１１３，１２２…接着層
２０１，２１１…偽造防止物品
【図１】
0006988800.tif 000002
【図２Ａ】
0006988800.tif 000003
【図２Ｂ】
0006988800.tif 000004
【図３】
0006988800.tif 000005
【図４】
0006988800.tif 000006
【図５Ａ】
0006988800.tif 000007
【図５Ｂ】
0006988800.tif 000008
【図６】
0006988800.tif 000009
【図７】
0006988800.tif 000010
【図８】
0006988800.tif 000011
【図９】
0006988800.tif 000012
【図１０】
0006988800.tif 000013
【図１１】
0006988800.tif 000014
【図１２】
0006988800.tif 000015
【図１３】
0006988800.tif 000016
【図１４】
0006988800.tif 000017
【図１５】
0006988800.tif 000018
【図１６】
0006988800.tif 000019
【図１７】
0006988800.tif 000020
【図１８】
0006988800.tif 000021
【図１９】
0006988800.tif 000022
【図２０】
0006988800.tif 000023
【図２１】
0006988800.tif 000024
【図２２】
0006988800.tif 000025
【図２３】
0006988800.tif 000026
【図２４】
0006988800.tif 000027
【図２５】
0006988800.tif 000028
【図２６】
0006988800.tif 000029
【図２７】
0006988800.tif 000030